(57)【要約】【解決手段】刀身１の基端口部５から延設した中子軸２の外周に把持部３を着脱可能に挿嵌している。中子軸２の尻部１２に設けた雌ねじ部１６に対し、尻蓋４に設けた雄ねじ部４０を着脱可能に螺合している。尻蓋４を把持部３の尻部１８の外側で把持部３の尻部１８の端面２５側に隣接するように並べて露出させている。尻蓋４と刀身１の基端口部５との間で把持部３を挟持している。【効果】尻蓋４を把持部３の尻部１８の外側から触れ易くなって尻蓋４及び把持部３の着脱操作が行い易くなる。尻蓋４を把持部３から露出させた場合でも雄ねじ部４０が把持部３の外側から見えにくくなって外観を良くすることができる。【選択図】図２
2004074305.tif 000002
【特許請求の範囲】
【請求項１】
刀身の基端口部から延設した中子軸の外周に把持部を着脱可能に挿嵌するとともに、この中子軸の尻部に尻蓋を着脱可能に連結し、この尻蓋をこの把持部の尻部の外側でこの把持部の尻部の端面側に隣接するように並べて露出させ、この尻蓋と前記刀身の基端口部との間で把持部を設けたことを特徴とする刃物の柄。
【請求項２】
刀身の基端口部から延設した中子軸の外周に把持部を着脱可能に挿嵌するとともに、この中子軸の尻部に設けた雌ねじ部に対し、尻蓋に設けた雄ねじ部を着脱可能に螺合し、この尻蓋と前記刀身の基端口部との間で把持部を設けたことを特徴とする刃物の柄。
【請求項３】
刀身の基端口部から延設した中子軸の外周に把持部を着脱可能に挿嵌するとともに、この中子軸の尻部に設けた雌ねじ部に対し、尻蓋に設けた雄ねじ部を着脱可能に螺合し、この尻蓋をこの把持部の尻部の外側でこの把持部の尻部の端面側に隣接するように並べて露出させ、この尻蓋と前記刀身の基端口部との間で把持部を設けたことを特徴とする刃物の柄。
【請求項４】
前記把持部の尻部の端面側に尻側着座凹部を設け、この尻側着座凹部は、前記中子軸が貫通する挿嵌孔の内周端縁部から環状に広がる嵌合底壁部と、この環状嵌合底壁部の外周端縁部に連続する環状の嵌合側壁部と、この環状嵌合底壁部に面して環状嵌合側壁部の外側へ開放した開口部とを有し、
前記尻蓋は、前記中子軸の尻部に螺合されて連結された状態で、前記尻側着座凹部に対しその開口部から嵌め込まれて、この尻側着座凹部の外側へその開口部から突出するとともに、この尻側着座凹部の環状嵌合側壁部の内側でこの尻側着座凹部の環状嵌合底壁部に支持される嵌合部を有している
ことを特徴とする請求項１または請求項３に記載の刃物の柄。
【請求項５】
前記把持部の尻部の端面側に尻側着座凹部を設け、この尻側着座凹部は、前記中子軸が貫通する挿嵌孔の内周端縁部から斜状に広がる環状の嵌合側壁部と、この嵌合側壁部に面して環状嵌合側壁部の外側へ開放した開口部とを有し、
前記尻蓋は、前記中子軸の尻部に螺合されて連結された状態で、前記尻側着座凹部に対しその開口部から嵌め込まれて、この尻側着座凹部の外側へその開口部から突出するとともに、この尻側着座凹部の環状嵌合側壁部の内側で支持される嵌合部を有している
ことを特徴とする請求項１または請求項３に記載の刃物の柄。
【請求項６】
前記把持部の尻部の端面側に尻側着座凹部の環状嵌合側壁部から広がる環状の外周隅部を設け、この環状外周隅部は前記尻蓋の外周部から外側に広がる段差状をなしていることを特徴とする請求項４または請求項５に記載の刃物の柄。
【請求項７】
前記尻側着座凹部において開口部の外周部は、環状嵌合側壁部から前記環状外周隅部側へ広がり、この環状嵌合側壁部から連続する環状外側底壁部と、この環状外側底壁部の外周端縁部に連続する環状の外側側壁部とを有し、
前記尻蓋は、前記開口部の外周部において環状外側側壁部の内側で環状外側底壁部に支持される環状の外周隅部を有し、前記嵌合部はこの環状外周隅部から連続して設けられている
ことを特徴とする請求項６に記載の刃物の柄。
【請求項８】
前記把持部の尻部の端面側に尻側着座凹部を設け、この尻側着座凹部内と、この尻側着座凹部内に嵌め込まれた前記尻蓋との間でシール部材を挟持したことを特徴とする請求項１または請求項２または請求項３に記載の刃物の柄。
【請求項９】
前記把持部の頭部の端面側に頭側着座凹部を設け、この頭側着座凹部は、前記中子軸が貫通する挿嵌孔の内周端縁部から環状に広がる嵌合底壁部と、この環状嵌合底壁部の外周端縁部に連続する環状の嵌合側壁部と、この環状嵌合底壁部に面して環状嵌合側壁部の外側へ開放した開口部とを有し、
前記刀身の基端口部は、前記頭側着座凹部に対しその開口部から嵌め込まれて、この頭側着座凹部の外側へその開口部から突出するとともに、この頭側着座凹部の環状嵌合側壁部の内側でこの頭側着座凹部の環状嵌合底壁部に支持される
ことを特徴とする請求項１から請求項８のうちいずれかの請求項に記載の刃物の柄。
【請求項１０】
前記把持部の頭部の端面側に頭側着座凹部の環状嵌合側壁部から広がる環状の外周隅部を設け、この環状外周隅部は前記刀身の基端口部の外周部から外側に広がる段差状をなしていることを特徴とする請求項９に記載の刃物の柄。
【請求項１１】
前記把持部の頭部の端面側に頭側着座凹部を設け、この頭側着座凹部内と、この頭側着座凹部内に嵌め込まれた前記刀身の基端口部との間でシール部材を挟持したことを特徴とする請求項１または請求項２または請求項３または請求項８に記載の刃物の柄。
【請求項１２】
前記把持部の頭部の端面側に頭側着座凹部を設け、この頭側着座凹部内に前記刀身の基端口部を嵌め込み、前記中子軸が貫通する挿嵌孔の内周部と、この中子軸の外周部に設けた溝部との間でシール部材を挟持したことを特徴とする請求項１または請求項２または請求項３または請求項８に記載の刃物の柄。
【請求項１３】
前記尻蓋と前記刀身の基端口部との間で、中子軸に対する把持部の動きを規制する複数の移動規制部を中子軸の軸線方向に沿って配設したことを特徴とする請求項１から請求項１２のうちいずれかの請求項に記載の刃物の柄。
【請求項１４】
前記把持部の頭部における頭側着座凹部と前記刀身の基端口部との間には、中子軸に対する把持部の動きを規制する移動規制部を設けたことを特徴とする請求項９または請求項１０または請求項１１に記載の刃物の柄。
【請求項１５】
前記把持部の尻部における尻側着座凹部と前記尻蓋との間、前記把持部の尻部と前記中子軸の尻部との間には、中子軸に対する把持部の動きを規制する移動規制部を設けたことを特徴とする請求項１４に記載の刃物の柄。
【請求項１６】
前記刀身の基端口部に設けた雌ねじ部に対し、前記中子軸の頭部に設けた雄ねじ部を螺着したことを特徴とする請求項１から請求項１５のうちいずれかの請求項に記載の刃物の柄。
【請求項１７】
磁性を有することを特徴とする請求項１から請求項１６のうちいずれかの請求項に記載の刃物の柄。
【発明の詳細な説明】
【０００１】
【発明の属する技術分野】
本発明は、刀身の基端口部から延設した中子軸の外周に把持部を挿嵌するとともにこの中子軸の尻部に尻蓋を連結した刃物の柄に関するものである。
【０００２】
【従来の技術及び発明が解決しようとする課題】
従来、実公平１−１２６９８号公報に示す包丁は、同公報の図面に示すように、下記＊の点で劣る。
【０００３】
＊　ナット１３と柄尻１４とが別々に分離して設けられ、このナット１３が凹部ｅ内に埋め込まれてこの凹部ｅがこの柄尻１４により閉塞されている。そのため、柄尻１４を柄１２から外しても凹部ｅ内のナット１３を柄１２の外側から触れにくくなってナット１３及び柄１２の着脱操作が行いにくくなる。
【０００４】
＊　中子軸３側にネジｂ（雄ねじ部）を設け、このネジｂに前記ナット１３を螺合している。そのため、このネジｂが長過ぎる場合にこのナット１３から突出するおそれがある。例えば、このナット１３を柄１２から露出させた場合には、袋ナットを採用してこのネジｂを隠さない限りこのネジｂが柄１２の外側から見えるので、外観が悪くなるし、袋ナットを採用した場合には袋ナットの雌ねじ孔を十分深くしないと締め込み量が不足するおそれがある。そのため、前記凹部ｅ内にナット１３を埋め込む必要がある。
【０００５】
この発明は、尻蓋（前記ナット１３に該当）を把持部（前記柄１２に該当）の尻部の外側から触れ易くしてこの尻蓋及び把持部の着脱操作を行い易くすることを第一の目的としている。また、この発明は、尻蓋（前記ナット１３に該当）を把持部（前記柄１２に該当）から露出させた場合でも雄ねじ部（前記ネジｂに該当）が把持部の外側から見えにくくして外観を良くすることを第二の目的としている。
【０００６】
【課題を解決するための手段及び発明の効果】
後記実施形態の図面（図１〜５に示す第一実施形態、図６に示す第二実施形態、図７に示す第二実施形態の別例１、図８に示す第二実施形態の別例２、図９に示す第三実施形態）の符号を援用して本発明を説明する。
【０００７】
＊　請求項１の発明
この発明にかかる刃物の柄（Ｈ）は、第一実施形態並びに第二実施形態及び第二実施形態の別例１，２並びに第三実施形態に対応し、下記のように構成されている。
【０００８】
刀身（１）の基端口部（５）から延設した中子軸（２）の外周に把持部（３）を着脱可能に挿嵌している。この中子軸（２）の尻部（１２）に尻蓋（４）を着脱可能に連結している。この尻蓋（４）をこの把持部（３）の尻部（１８）の外側でこの把持部（３）の尻部（１８）の端面（２５）側に隣接するように並べて露出させている。この尻蓋（４）と前記刀身（１）の基端口部（５）との間で把持部（３）を設けている。
【０００９】
この発明では、中子軸（２）に対し把持部（３）及び尻蓋（４）を着脱させて柄（Ｈ）の分解及び組付けを行うことができる。そのため、把持部（３）及び尻蓋（４）の形態の変更や、刀身（１）及び中子軸（２）の形態の変更や、柄（Ｈ）の重心位置の変更や、材質に応じた分別廃棄などを容易に行うことができる。しかも、尻蓋（４）を把持部（３）の尻部（１８）の端面（２５）側に隣接するように並べて露出させているので、前述した従来技術と比較して、尻蓋（４）を把持部（３）の尻部（１８）の外側から触れ易くなって尻蓋（４）及び把持部（３）の着脱操作が行い易くなる。
【００１０】
＊　請求項２の発明
この発明にかかる刃物の柄（Ｈ）は、第一実施形態並びに第二実施形態及び第二実施形態の別例１，２並びに第三実施形態に対応し、下記のように構成されている。
【００１１】
刀身（１）の基端口部（５）から延設した中子軸（２）の外周に把持部（３）を着脱可能に挿嵌している。この中子軸（２）の尻部（１２）に設けた雌ねじ部（１６）に対し、尻蓋（４）に設けた雄ねじ部（４０）を着脱可能に螺合している。この尻蓋（４）と前記刀身（１）の基端口部（５）との間で把持部（３）を設けている。
【００１２】
この発明では、中子軸（２）に対し把持部（３）及び尻蓋（４）を着脱させて柄（Ｈ）の分解及び組付けを行うことができる。そのため、把持部（３）及び尻蓋（４）の形態の変更や、刀身（１）及び中子軸（２）の形態の変更や、柄（Ｈ）の重心位置の変更や、材質に応じた分別廃棄などを容易に行うことができる。しかも、中子軸（２）側に雌ねじ部（１６）を設けるとともに尻蓋（４）側に雄ねじ部（４０）を設けているので、前述した従来技術と比較して、尻蓋（４）を把持部（３）から露出させた場合でも雄ねじ部（４０）が把持部（３）の外側から見えにくくなって外観を良くすることができる。
【００１３】
＊　請求項３の発明（請求項１の発明と請求項２の発明との組み合わせ）
この発明にかかる刃物の柄（Ｈ）は、第一実施形態並びに第二実施形態及び第二実施形態の別例１，２並びに第三実施形態に対応し、下記のように構成されている。
【００１４】
刀身（１）の基端口部（５）から延設した中子軸（２）の外周に把持部（３）を着脱可能に挿嵌している。この中子軸（２）の尻部（１２）に設けた雌ねじ部（１６）に対し、尻蓋（４）に設けた雄ねじ部（４０）を着脱可能に螺合している。この尻蓋（４）をこの把持部（３）の尻部（１８）の外側でこの把持部（３）の尻部（１８）の端面（２５）側に隣接するように並べて露出させている。この尻蓋（４）と前記刀身（１）の基端口部（５）との間で把持部（３）を設けている。この発明では、請求項１の発明の効果と請求項２の発明の効果とを共に発揮させることができる。
【００１５】
＊　請求項４の発明
この発明は、第一実施形態並びに第二実施形態及び第二実施形態の別例１，２に対応し、請求項１または請求項３の発明を前提として下記のように構成されている。
【００１６】
前記把持部（３）の尻部（１８）の端面（２５）側に尻側着座凹部（２６）を設けている。この尻側着座凹部（２６）は、前記中子軸（２）が貫通する挿嵌孔（１９）の内周端縁部（内周部２１の端縁部）から環状に広がる嵌合底壁部（３１）と、この環状嵌合底壁部（３１）の外周端縁部に連続する環状の嵌合側壁部（３２）と、この環状嵌合底壁部（３１）に面して環状嵌合側壁部（３２）の外側へ開放した開口部（３３）とを有している。前記尻蓋（４）は、前記中子軸（２）の尻部（１２）に螺合されて連結された状態で、前記尻側着座凹部（２６）に対しその開口部（３３）から嵌め込まれて、この尻側着座凹部（２６）の外側へその開口部（３３）から突出するとともに、この尻側着座凹部（２６）の環状嵌合側壁部（３２）の内側でこの尻側着座凹部（２６）の環状嵌合底壁部（３１）に支持される嵌合部（３８）を有している。この発明では、把持部（３）の尻部（１８）と尻蓋（４）との境に隙間が生じにくくなり、柄（Ｈ）内に埃や水分などが侵入しにくくなる。
【００１７】
＊　請求項５の発明
この発明は、第三実施形態に対応し、請求項１または請求項３の発明を前提として下記のように構成されている。
【００１８】
前記把持部（３）の尻部（１８）の端面（２５）側に尻側着座凹部（２６）を設けている。この尻側着座凹部（２６）は、前記中子軸（２）が貫通する挿嵌孔（１９）の内周端縁部（内周部２１の端縁部）から斜状に広がる環状の嵌合側壁部（３２）と、この嵌合側壁部（３２）に面して環状嵌合側壁部（３２）の外側へ開放した開口部（３３）とを有している。前記尻蓋（４）は、前記中子軸（２）の尻部（１２）に螺合されて連結された状態で、前記尻側着座凹部（２６）に対しその開口部（３３）から嵌め込まれて、この尻側着座凹部（２６）の外側へその開口部（３３）から突出するとともに、この尻側着座凹部（２６）の環状嵌合側壁部（３２）の内側で支持される嵌合部（３８）を有している。この発明では、把持部（３）の尻部（１８）と尻蓋（４）との境に隙間が生じにくくなり、柄（Ｈ）内に埃や水分などが侵入しにくくなる。
【００１９】
＊　請求項６の発明
この発明は、第一実施形態並びに第二実施形態及び第二実施形態の別例１，２並びに第三実施形態に対応し、請求項４または請求項５の発明を前提として下記のように構成されている。
【００２０】
前記把持部（３）の尻部（１８）の端面（２５）側に尻側着座凹部（２６）の環状嵌合側壁部（３２）から広がる環状の外周隅部（４５）を設けている。この環状外周隅部（４５）は前記尻蓋（４）の外周部（４６）から外側に広がる段差状をなしている。この発明では、尻蓋（４）が把持部（３）の環状外周隅部（４５）から外側へ突出して段差状をなすことは皆無となる。そのため、把持部（３）を把持した際に指が尻蓋（４）に当たることはなくなり、把持感触を良くすることができる。
【００２１】
＊　請求項７の発明
この発明は、第一実施形態並びに第二実施形態及び第二実施形態の別例１，２並びに第三実施形態に対応し、請求項６の発明を前提として下記のように構成されている。
【００２２】
前記尻側着座凹部（２６）において開口部（３３）の外周部は、環状嵌合側壁部（３２）から前記環状外周隅部（４５）側へ広がり、この環状嵌合側壁部（３２）から連続する環状外側底壁部（３４）と、この環状外側底壁部（３４）の外周端縁部に連続する環状の外側側壁部（３５）とを有している。前記尻蓋（４）は、前記開口部（３３）の外周部において環状外側側壁部（３５）の内側で環状外側底壁部（３４）に支持される環状の外周隅部（３７ａ）を有している。前記嵌合部（３８）はこの環状外周隅部（３７ａ）から連続して設けられている。この発明では、柄（Ｈ）内に埃や水分などがより一層侵入しにくくなる。
【００２３】
＊　請求項８の発明
この発明は、第一実施形態並びに第二実施形態及び第二実施形態の別例１，２並びに第三実施形態に対応し、請求項１または請求項２または請求項３の発明を前提として下記のように構成されている。
【００２４】
前記把持部（３）の尻部（１８）の端面（２５）側に尻側着座凹部（２６）を設け、この尻側着座凹部（２６）内と、この尻側着座凹部（２６）内に嵌め込まれた前記尻蓋（４）との間でシール部材（固定用シールとしてのパッキン４８やＯリング４９）を挟持した。例えば、請求項７の発明においては、第二実施形態及びその別例１で示すように、尻側着座凹部（２６）の環状外側底壁部（３４）と尻蓋（４）の端面（４２）との間でシール部材（４８）を挟持する。また、例えば、請求項４の発明においては、第二実施形態の別例２で示すように、尻側着座凹部（２６）の環状嵌合底壁部（３１）と尻蓋（４）の嵌合部（３８）の端面（３９）との間でシール部材（４８）を挟持する。さらに、例えば、請求項５の発明においては、第三実施形態で示すように、尻側着座凹部（２６）の環状嵌合側壁部（３２）と尻蓋（４）の嵌合部（３８）の外周部（４１）との間でシール部材（４９）を挟持する。この発明では、シール部材（４８，４９）により、柄（Ｈ）内に埃や水分などがより一層侵入しにくくなる。
【００２５】
＊　請求項９の発明
この発明は、第一実施形態並びに第二実施形態及び第二実施形態の別例１，２並びに第三実施形態に対応し、請求項１から請求項８のうちいずれかの請求項の発明を前提として下記のように構成されている。
【００２６】
前記把持部（３）の頭部（１７）の端面（２３）側に頭側着座凹部（２４）を設けている。この頭側着座凹部（２４）は、前記中子軸（２）が貫通する挿嵌孔（１９）の内周端縁部（内周部２０の端縁部）から環状に広がる嵌合底壁部（２７）と、この環状嵌合底壁部（２７）の外周端縁部に連続する環状の嵌合側壁部（２８）と、この環状嵌合底壁部（２７）に面して環状嵌合側壁部（２８）の外側へ開放した開口部（２９）とを有している。前記刀身（１）の基端口部（５）は、前記頭側着座凹部（２４）に対しその開口部（２９）から嵌め込まれて、この頭側着座凹部（２４）の外側へその開口部（２９）から突出するとともに、この頭側着座凹部（２４）の環状嵌合側壁部（２８）の内側でこの頭側着座凹部（２４）の環状嵌合底壁部（２７）に支持される。この発明では、把持部（３）の頭部（１７）と刀身（１）の基端口部（５）との境に隙間が生じにくくなり、柄（Ｈ）内に埃や水分などが侵入しにくくなる。
【００２７】
＊　請求項１０の発明
この発明は、第一実施形態並びに第二実施形態及び第二実施形態の別例１，２並びに第三実施形態に対応し、請求項９の発明を前提として下記のように構成されている。
【００２８】
前記把持部（３）の頭部（１７）の端面（２３）側に頭側着座凹部（２４）の環状嵌合側壁部（２８）から広がる環状の外周隅部（３６）を設けている。この環状外周隅部（３６）は前記刀身（１）の基端口部（５）の外周部（８）から外側に広がる段差状をなしている。この発明では、刀身（１）の基端口部（５）が把持部（３）の環状外周隅部（３６）から外側へ突出して段差状をなすことは皆無となる。そのため、把持部（３）を把持した際に指が刀身（１）の基端口部（５）に当たることはなくなり、把持感触を良くすることができる。
【００２９】
＊　請求項１１の発明
この発明は、第二実施形態に対応し、請求項１または請求項２または請求項３または請求項８の発明を前提として下記のように構成されている。
【００３０】
前記把持部（３）の頭部（１７）の端面（２３）側に頭側着座凹部（２４）を設け、この頭側着座凹部（２４）内と、この頭側着座凹部（２４）内に嵌め込まれた前記刀身（１）の基端口部（５）との間でシール部材（固定用シールとしてのパッキン４７）を挟持した。例えば、請求項９の発明においては、頭側着座凹部（２４）の環状嵌合底壁部（２７）と刀身（１）の基端口部（５）の端面（６）との間でシール部材（４７）を挟持する。この発明では、シール部材（４７）により、柄（Ｈ）内に埃や水分などがより一層侵入しにくくなる。
【００３１】
＊　請求項１２の発明
この発明は、第三実施形態に対応し、請求項１または請求項２または請求項３または請求項８の発明を前提として下記のように構成されている。
【００３２】
前記把持部（３）の頭部（１７）の端面（２３）側に頭側着座凹部（２４）を設け、この頭側着座凹部（２４）内に前記刀身（１）の基端口部（５）を嵌め込んでいる。前記中子軸（２）が貫通する挿嵌孔（１９）の内周部（例えば、頭側着座凹部２４に隣接する頭部（１７）の内周部２０の端部）と、この中子軸（２）の外周部に設けた溝部（５０）との間でシール部材（Ｏリング５１）を挟持している。この発明では、シール部材（５１）により、柄（Ｈ）内に埃や水分などがより一層侵入しにくくなる。
【００３３】
＊　請求項１３の発明
この発明は、第一実施形態並びに第二実施形態及び第二実施形態の別例１，２並びに第三実施形態に対応し、請求項１から請求項１２のうちいずれかの請求項の発明を前提として下記のように構成されている。
【００３４】
前記尻蓋（４）と前記刀身（１）の基端口部（５）との間で、中子軸（２）に対する把持部（３）の動き（中子軸２に対する周方向Ｘ、または中子軸２の中心線２ａの方向Ｙ、または中子軸２の中心線２ａの方向に対し直交する半径方向Ｚ、またはそれらの方向Ｘ，Ｙ，Ｚを二以上組み合わせた方向の動き）を規制する複数の移動規制部（頭側支持部分８，３０と６，２７と１０ｂ，２０並びに尻側支持部分４１，４４と３９，３１と４２，３４と１３，２１と１４，２２）を中子軸（２）の軸線（中心線２ａ）の方向（Ｙ）に沿って配設している。この発明では、複数の移動規制部（上記の頭側支持部分及び尻側支持部分）により、中子軸（２）に対する把持部（３）の動きを確実に規制して、把持部（３）に対する把持感触を良くすることができる。
【００３５】
＊　請求項１４の発明
この発明は、第一実施形態並びに第二実施形態及び第二実施形態の別例１，２並びに第三実施形態に対応し、請求項９または請求項１０または請求項１１または請求項１２の発明を前提として下記のように構成されている。
【００３６】
前記把持部（３）の頭部（１７）における頭側着座凹部（２４）と前記刀身（１）の基端口部（５）との間には、中子軸（２）に対する把持部（３）の動きを規制する移動規制部（頭側支持部分８，３０と６，２７と１０ｂ，２０）を設けている。この発明では、柄（Ｈ）内に埃や水分などが侵入しにくくするための構造を移動規制部（上記の頭側支持部分）として兼用することにより、簡単な構造により、中子軸（２）に対する把持部（３）の動きを規制して把持部（３）に対する把持感触を良くすることができる。
【００３７】
＊　請求項１５の発明
この発明は、第一実施形態並びに第二実施形態及び第二実施形態の別例１，２並びに第三実施形態に対応し、請求項１４の発明を前提として下記のように構成されている。
【００３８】
前記把持部（３）の尻部（１８）における尻側着座凹部（２６）と前記尻蓋（４）との間、前記把持部（３）の尻部（１８）と前記中子軸（２）の尻部（１２）との間には、中子軸（２）に対する把持部（３）の動きを規制する移動規制部（尻側支持部分４１，４４と３９，３１と４２，３４と１３，２１と１４，２２）を設けている。この発明では、中子軸（２）の軸線（２ａ）の方向（Ｙ）に沿って配設した二つの移動規制部（上記の尻側支持部分及び前記頭側支持部分）により、中子軸（２）に対する把持部（３）の動きを確実に規制して、把持部（３）に対する把持感触を良くすることができる。
【００３９】
＊　請求項１６の発明
この発明は、第一実施形態並びに第二実施形態及び第二実施形態の別例１，２並びに第三実施形態に対応し、請求項１から請求項１５のうちいずれかの請求項の発明を前提として下記のように構成されている。
【００４０】
第三実施形態のように前記刀身（１）の基端口部（５）に対し前記中子軸（２）を一体に設けてもよいが、この発明では、前記刀身（１）の基端口部（５）に設けた雌ねじ部（７）に対し、前記中子軸（２）の頭部（９）に設けた雄ねじ部（１１）を螺着している。この発明では、刀身（１）の形態の変更や中子軸（２）の形態の変更をより一層容易に行うことができるばかりではなく、刀身（１）と中子軸（２）とを分けて製造することによりそれらの製造も行い易くなるとともに、刀身（１）と中子軸（２）との組付けも行い易くなる。
【００４１】
＊　請求項１７の発明
この発明は、第一実施形態並びに第二実施形態及び第二実施形態の別例１，２並びに第三実施形態に対応し、請求項１から請求項１６のうちいずれかの請求項の発明における柄（Ｈ）に磁性を持たせている。この発明では、柄（Ｈ）を把持した手に対し磁気が影響を及ぼすため、手の疲れを癒すことが期待できる。
【００４２】
【発明の実施の形態】
〔第一実施形態〕
まず、本発明の第一実施形態にかかる刃物の柄について図１〜５を参照して説明する。
【００４３】
図１に示すように、この刃物は、互いに分離して設けられた刀身１と中子軸２と把持部３と尻蓋４とからなる。図２に示すように、刃物の柄Ｈは、この刀身１の基端口部５にこの中子軸２と把持部３と尻蓋４とが組み付けられて構成されている。
【００４４】
前記刀身１は、金属からなり、鍛造により成形される。この刀身１の基端口部５においては、端面６から雌ねじ部７が機械切削加工により形成され、図３（ｂ）に示すように、この雌ねじ部７の中心線７ａを中心とする周方向Ｘで非円形状をなす外周部８が形成されている。この外周部８は、この雌ねじ部７の中心線７ａからの半径が互いに異なる上下両規制面８ａと左右両規制面８ｂとを有している。
【００４５】
前記中子軸２は、金属や合成樹脂などからなり、機械切削加工や型成形により形成される。この中子軸２の頭部９においては、大径の円環状膨出部１０の端面１０ａから雄ねじ部１１が一体に形成されている。この中子軸２は頭部９から尻部１２にわたり中心線２ａを中心とする断面円形状をなすが、図４（ｂ）に示すように、この尻部１２の外周部１３においては左右両側で規制面１４が平面状に切り欠いて形成されている。この左右両規制面１４間の端面１５から雌ねじ部１６が形成されている。図２に示すように、この中子軸２の頭部９の雄ねじ部１１を前記刀身１の基端口部５の雌ねじ部７に対し着脱可能に螺合すると、図３（ａ）に示すようにこの頭部９の端面１０ａがこの基端口部５の端面６に当接した状態で、この中子軸２がこの基端口部５から延設される。
【００４６】
前記把持部３は合成樹脂により型成形される。この合成樹脂として透明または半透明のアクリル樹脂やＡＢＳ樹脂などを採用した場合には、内側の中子軸２等が外側から見えるため、外観上印象的な見映えをかもしだすことができる。この把持部３内には頭部１７から尻部１８にわたり断面円形状の挿嵌孔１９が貫設されているが、図４（ｂ）に示すように、この尻部１８の内周部２１においては左右両側で規制面２２が平面状に切り欠いて形成されている。この頭部１７の内周部２０の内径はこの尻部１８の内周部２１の内径よりも大きくなっている。この頭部１７の端面２３側には頭側着座凹部２４が形成されている。この尻部１８の端面２５側には尻側着座凹部２６が前記左右両規制面２２に隣接して形成されている。
【００４７】
前記頭側着座凹部２４は、図３（ａ）に示すように、前記挿嵌孔１９の内周部２０の端縁部から環状に広がる嵌合底壁部２７と、この環状嵌合底壁部２７の外周端縁部に連続する環状の嵌合側壁部２８と、この環状嵌合底壁部２７に面して環状嵌合側壁部２８の外側へ開放された開口部２９とを有している。この環状嵌合側壁部２８の内周部３０は、挿嵌孔１９の中心線１９ａを中心とする周方向Ｘで非円形状をなし、図３（ｂ）に示すように、この挿嵌孔１９の中心線１９ａからの半径が互いに異なる上下両規制面３０ａと左右両規制面３０ｂとを有している。
【００４８】
前記尻側着座凹部２６は、図４（ａ）に示すように、前記挿嵌孔１９の内周部２１の端縁部から円環状に広がる嵌合底壁部３１と、この円環状嵌合底壁部３１の外周端縁部に連続する円環状嵌合側壁部３２と、この円環状嵌合底壁部３１に面して円環状嵌合側壁部３２の外側へ開放された開口部３３とを有している。さらに、この尻側着座凹部２６において開口部３３の外周部は、円環状嵌合側壁部３２から外側へ広がり、この円環状嵌合側壁部３２から連続する円環状外側底壁部３４と、この円環状外側底壁部３４の外周端縁部に連続する円環状の外側側壁部３５とを有している。
【００４９】
前記中子軸２を前記把持部３内の挿嵌孔１９に対しその頭部１７側から挿入してこの中子軸２の外周に把持部３を着脱可能に挿嵌すると、図２，３に示すように、前記刀身１の基端口部５は、前記頭側着座凹部２４に対しその開口部２９から嵌合されて、この頭側着座凹部２４の外側へその開口部２９から突出する。この嵌合状態では、刀身１の基端口部５の外周部８が頭側着座凹部２４の環状嵌合側壁部２８の内周部３０に支持されるとともに、刀身１の基端口部５の端面６が頭側着座凹部２４の環状嵌合底壁部２７に支持され、中子軸２の円環状膨出部１０の外周部１０ｂが挿嵌孔１９の内周部２０に支持される。そのため、これらの支持部分（８，３０，６，２７，１０ｂ，２０）が移動規制部として機能する。前記把持部３の頭部１７の端面２３側には頭側着座凹部２４の環状嵌合側壁部２８から広がる環状の外周隅部３６が形成される。この環状外周隅部３６は前記刀身１の基端口部５の外周部８から外側に広がる段差状をなしている。また、前記中子軸２の尻部１２で外周部１３の左右両規制面１４は挿嵌孔１９の内周部２１の左右両規制面２２に支持され、それらの支持部分（１３，１４，２１，２２）が移動規制部として機能する。この尻部１２の端面１５は前記尻側着座凹部２６の円環状嵌合底壁部３１とほぼ面一になる。
【００５０】
前記尻蓋４は、金属や合成樹脂などからなり、機械切削加工や型成形により形成される。この尻蓋４においては、操作頭部３７の内側外周隅部３７ａから連続する嵌合部３８が突設され、この嵌合部３８の端面３９から雄ねじ部４０が形成されているとともに、この嵌合部３８の円環状外周部４１に対し段差状をなす操作頭部３７の端面４２が外側へ広がっている。この操作頭部３７の外側端面には図５にも示す操作溝４３が形成されている。
【００５１】
前記尻蓋４の雄ねじ部４０を前記中子軸２の尻部１２の雌ねじ部１６に対し着脱可能に螺合すると、図２，４に示すように、この尻蓋４は、前記尻側着座凹部２６に対しその開口部３３から嵌合されて、この尻側着座凹部２６の外側へその開口部３３から突出する。この嵌合状態では、尻蓋４の嵌合部３８の外周部４１が尻側着座凹部２６の円環状嵌合側壁部３２の内周部４４に支持されるとともに、尻蓋４の嵌合部３８の端面３９が尻側着座凹部２６の円環状嵌合底壁部３１に支持される。さらに、尻蓋４の操作頭部３７の端面４２が尻側着座凹部２６の開口部３３において円環状外側側壁部３５の内側で円環状外側底壁部３４に支持される。そのため、これらの支持部分（４１，４４，３９，３１，４２，３４）が移動規制部として機能する。尻蓋４の操作頭部３７は把持部３の尻部１８の外側でこの尻部１８の端面２５側に隣接するように並べられて露出する。この把持部３の尻部１８の端面２５側には尻側着座凹部２６の円環状外側側壁部３５から広がる円環状の外周隅部４５が形成される。この円環状外周隅部４５は尻蓋４の操作頭部３７の外周部４６から外側に広がる段差状をなしている。この尻蓋４を回動させて締め付けると、尻蓋４と前記刀身１の基端口部５との間で把持部３が挟持される。
【００５２】
〔第二実施形態及びその別例１，２〕
次に、本発明の第二実施形態及びその別例１，２にかかる刃物の柄について第一実施形態との相違点を中心に図６〜８を参照して説明する。
【００５３】
図６（ｂ）に示す第二実施形態においては、前記把持部３の頭部１７側で頭側着座凹部２４に薄板状のパッキン４７が嵌め込まれて環状嵌合底壁部２７に当てがわれている。このパッキン４７は環状嵌合底壁部２７と刀身１の基端口部５の端面６との間で挟持されている。また、図６（ａ）に示す第二実施形態においては、前記把持部３の尻部１８側で尻側着座凹部２６に薄板状のパッキン４８が嵌め込まれて円環状外側底壁部３４に当てがわれている。このパッキン４８は円環状外側底壁部３４と尻蓋４の端面４２との間で挟持されている。
【００５４】
図７に示す第二実施形態の別例１において、把持部３の尻部１８の尻側着座凹部２６で円環状外側底壁部３４は、円環状嵌合側壁部３２から外側へ円環状に広がる外側底壁部３４ａと、この円環状外側底壁部３４ａに対し段差状をなして円環状外側側壁部３５へ連続する円環状外側底壁部３４ｂとからなる。この尻側着座凹部２６に薄板状のパッキン４８が嵌め込まれて内段の円環状外側底壁部３４ａに当てがわれている。このパッキン４８は、外段の円環状外側底壁部３４ｂに支持された尻蓋４の端面４２と、内段の円環状外側底壁部３４ａとの間で挟持されている。
【００５５】
図８に示す第二実施形態の別例２においては、前記把持部３の尻部１８側で尻側着座凹部２６に薄板状のパッキン４８が嵌め込まれて環状嵌合底壁部３１に当てがわれている。このパッキン４８は環状嵌合底壁部３１と尻蓋４の嵌合部３８の端面３９との間で挟持されている。
【００５６】
なお、図示しないが、前記パッキンの種類としては、Ｏリング等を採用してもよい。
〔第三実施形態〕
次に、本発明の第三実施形態にかかる刃物の柄について第一実施形態との相違点を中心に図９を参照して説明する。
【００５７】
図９（ａ）に示すように、前記尻側着座凹部２６は、前記中子軸２が貫通する挿嵌孔１９の内周部２１の端縁部から斜状に広がる円環状の嵌合側壁部３２と、この嵌合側壁部３２に面して円環状嵌合側壁部３２の外側へ開放された開口部３３とを有している。この尻側着座凹部２６の円環状嵌合側壁部３２の内側で支持される尻蓋４の嵌合部３８の外周部４１と、この円環状嵌合側壁部３２との間でＯリング４９（シール部材）が挟持されている。
【００５８】
また、図９（ｂ）に示すように、前記頭側着座凹部２４に隣接して、前記中子軸２の外周部全体で周方向に延設された溝部５０と、この中子軸２が貫通する挿嵌孔１９の内周部２０の端縁部との間でＯリング５１（シール部材）が挟持されている。
【００５９】
なお、図示しないが、前記尻側着座凹部２６に隣接して、前記中子軸２の外周部全体で周方向に延設された溝部と、この中子軸２が貫通する挿嵌孔１９の内周部２１の端縁部との間でＯリング４９（シール部材）を挟持するようにしてもよい。
【００６０】
〔他の別例〕
そのほか、図示しないが、前述した第一実施形態並びに第二実施形態及び第二実施形態の別例１，２並びに第三実施形態における柄Ｈに磁性を持たせてもよい。例えば、把持部３に磁気性材を混入したり、把持部３内に磁気性部材を嵌め込む。
【００６１】
また、図示しないが、前述した第一実施形態並びに第二実施形態及び第二実施形態の別例１，２並びに第三実施形態にかかる柄Ｈにおいて、光触媒機能により抗菌や防汚や脱臭などの効果を発揮する酸化チタンを把持部３に混入したりコーティングしたりしてもよい。
【図面の簡単な説明】
【図１】第一実施形態に係る刃物を分解して示す一部破断正面図である。
【図２】（ａ）は第一実施形態に係る刃物を組み付けて示す一部破断正面図であり、（ｂ）は同じく一部破断平面図である。
【図３】（ａ）は図２（ａ）の部分拡大断面図であり、（ｂ）は図２（ａ）のＡ−Ａ線断面図である。
【図４】（ａ）は図２（ａ）の部分拡大断面図であり、（ｂ）は図２（ａ）のＢ−Ｂ線断面図である。
【図５】図２（ａ）のＣ−Ｃ線矢視図である。
【図６】（ａ）は第二実施形態に係る刃物において尻部側を示す部分拡大断面図であり、（ｂ）は同じく頭部側を示す部分拡大断面図である。
【図７】第二実施形態の別例１に係る刃物において尻部側を示す部分拡大断面図である。
【図８】第二実施形態の別例２に係る刃物において尻部側を示す部分拡大断面図である。
【図９】（ａ）は第三実施形態に係る刃物において尻部側を示す部分拡大断面図であり、（ｂ）は同じく頭部側を示す部分拡大断面図である。
【符号の説明】
Ｈ…柄、１…刀身、２…中子軸、３…把持部、４…尻蓋、５…刀身の基端口部、６…刀身基端口部の端面（移動規制部）、７…刀身基端口部の雌ねじ部、８…刀身基端口部の外周部（移動規制部）、９…中子軸の頭部、１０ｂ…中子軸の頭部外周部（移動規制部）、１１…中子軸の雄ねじ部、１２…中子軸の尻部、１３…中子軸の尻部外周部（移動規制部）、１４…中子軸の尻部規制面（移動規制部）、１６…中子軸の雌ねじ部、１７…把持部の頭部、１８…把持部の尻部、１９…把持部の挿嵌孔、２０…把持部の頭部内周部（移動規制部）、２１…把持部の尻部内周部（移動規制部）、２２…把持部の尻部規制面（移動規制部）、２３…把持部の頭部端面、２４…把持部の頭側着座凹部、２５…把持部の尻部端面、２６…把持部の尻側着座凹部、２７…嵌合底壁部（移動規制部）、２８…嵌合側壁部、２９…開口部、３０…嵌合側壁部の内周部（移動規制部）、３１…嵌合底壁部（移動規制部）、３２…嵌合側壁部、３３…開口部、３４…外側底壁部（移動規制部）、３５…外側側壁部、３６…把持部の頭部外周隅部、３７ａ…尻蓋の外周隅部、３８…尻蓋の嵌合部、３９…尻蓋の嵌合部端面（移動規制部）、４０…尻蓋の雄ねじ部、４１…尻蓋の嵌合部外周部（移動規制部）、４２…尻蓋の端面（移動規制部）、４４…嵌合側壁部の内周部（移動規制部）、４５…把持部の尻部外周隅部、４６…尻蓋の外周部、４７，４８…パッキン（シール部材）、４９，５１…Ｏリング（シール部材）、５０…中子軸の溝部。
【図１】
2004074305.tif 000003
【図２】
2004074305.tif 000004
【図３】
2004074305.tif 000005
【図４】
2004074305.tif 000006
【図５】
2004074305.tif 000007
【図６】
2004074305.tif 000008
【図７】
2004074305.tif 000009
【図８】
2004074305.tif 000010
【図９】
2004074305.tif 000011